(57)【要約】【課題】ターゲット性の高い広告を提供すること。【解決手段】広告提供装置１は、商品を販売する一の事業者３に対して一以上の口座番号を設定する口座設定部１３と、事業者３の口座番号の夫々に対応付けて、所定の商品についての広告群であって、当該広告群に属する広告の夫々がユーザの属性情報に対応付けられた広告群、を記憶する広告記憶部と、ユーザの属性情報を記憶する属性記憶部と、振込操作を行うユーザから、振込先の事業者３の口座番号の指定を含む振込指示を受け付ける振込受付部１５と、受け付けた事業者３の口座番号に基づいて、広告記憶部から広告群を抽出する第１抽出部１６１と、抽出した広告群からユーザの属性情報に対応付けられた広告を抽出する第２抽出部１６２と、抽出した広告をユーザに対して提供する広告提供部１７と、を備える。【選択図】図１
2016110270.tif 000002
【特許請求の範囲】
【請求項１】
振込操作を行う商品購入者に広告を提供する広告提供装置であって、
商品を販売する一の事業者に対して一以上の口座番号を設定する口座設定部と、
前記事業者の口座番号の夫々に対応付けて、所定の商品についての広告群であって、当該広告群に属する広告の夫々が商品購入者の属性情報に対応付けられた広告群、を記憶する広告記憶部と、
商品購入者の属性情報を記憶する属性記憶部と、
振込操作を行う商品購入者から、振込先の前記事業者の口座番号の指定を含む振込指示を受け付ける受付部と、
前記受付部が受け付けた前記事業者の口座番号に基づいて、前記広告記憶部から前記広告群を抽出する第１抽出部と、
前記第１抽出部が抽出した前記広告群から当該商品購入者の属性情報に対応付けられた広告を抽出する第２抽出部と、
抽出した前記広告を前記商品購入者に対して提供する広告提供部と、
を備える広告提供装置。
【請求項２】
前記広告記憶部は、商品カテゴリ毎に対応付けられた広告群を、前記事業者の口座番号の夫々に対応付けて記憶する、
請求項１に記載の広告提供装置。
【請求項３】
前記属性記憶部は、前記商品購入者の口座番号に対応付けて、当該商品購入者の属性情報を記憶し、
前記受付部は、前記商品購入者から、振込先の前記事業者の口座番号とともに当該商品購入者の口座番号の指定を含む振込指示を受け付け、
前記第２抽出部は、受け付けた前記商品購入者の口座番号に対応する属性情報に基づいて、前記広告群から広告を抽出する、
請求項１又は２に記載の広告提供装置。
【請求項４】
前記広告記憶部は、前記広告群に属する各広告に対応付けて価格帯情報を記憶し、
前記受付部は、前記商品購入者から前記事業者への振込金額を受け付け、
前記振込金額に対応する価格帯情報が対応付けられた広告を抽出する第３抽出部、
を更に備える請求項１から３のいずれか１項に記載の広告提供装置。
【請求項５】
振込を行う商品購入者が用いるユーザ端末と当該ユーザ端末に対して広告を提供する広告提供装置とを備える広告提供システムであって、
前記広告提供装置は、
商品を販売する一の事業者に対して一以上の口座番号を設定する口座設定部と、
前記事業者の口座番号の夫々に対応付けて、所定の商品についての広告群であって、当該広告群に属する広告の夫々が商品購入者の属性情報に対応付けられた広告群、を記憶する広告記憶部と、
商品購入者の属性情報を記憶する属性記憶部と、
振込操作を行う商品購入者から、振込先の前記事業者の口座番号の指定を含む振込指示を受け付ける受付部と、
前記受付部が受け付けた前記事業者の口座番号に基づいて、前記広告記憶部から前記広告群を抽出する第１抽出部と、
前記第１抽出部が抽出した前記広告群から当該商品購入者の属性情報に対応付けられた広告を抽出する第２抽出部と、
抽出した前記広告を前記商品購入者に対して提供する広告提供部と、
を備え、
前記ユーザ端末は、前記広告提供部により提供された広告を表示部に対して表示する、
広告提供システム。
【請求項６】
振込操作を行う商品購入者に広告を提供する広告提供方法であって、
商品を販売する一の事業者に対して一以上の口座番号を設定するステップと、
前記事業者の口座番号の夫々に対応付けて、所定の商品についての広告群であって、当該広告群に属する広告の夫々が商品購入者の属性情報に対応付けられた広告群、を記憶するステップと、
商品購入者の属性情報を記憶するステップと、
振込操作を行う商品購入者から、振込先の前記事業者の口座番号の指定を含む振込指示を受け付けるステップと、
受け付けた前記事業者の口座番号に基づいて、前記ステップで記憶した広告群の中から当該口座番号に対応する広告群を抽出するステップと、
抽出した前記広告群から当該商品購入者の属性情報に対応付けられた広告を抽出するステップと、
抽出した前記広告を前記商品購入者に対して提供するステップと、
を含む広告提供方法。
【発明の詳細な説明】
【技術分野】
【０００１】
本発明は、購入代金の振込を行ったユーザに対して広告を提供する広告提供装置、広告提供システム及び広告提供方法に関する。
【背景技術】
【０００２】
従来より、ユーザの行動履歴やユーザの属性情報を元にユーザに適した広告を配信する行動ターゲティング広告といった手法が知られており、インターネット上で銀行サービスを行うネットバンキングにおいてもユーザに適した広告を配信する仕組みが求められている。ネットバンキングに行動ターゲティング広告を適用する場合、例えば、ユーザがネットバンキングを利用して商品の購入代金を振り込む際に、購入した商品に関連する広告を配信することが考えられる。
【０００３】
この点、特許文献１には、振込先の口座番号から商品を販売する事業者を特定し、この事業者の商品を紹介する広告をユーザに提供することが開示されている。また、特許文献２には、振込元の口座番号から商品を購入したユーザの属性情報を特定し、この属性情報に適した広告をユーザに提供することが開示されている。
【先行技術文献】
【特許文献】
【０００４】
【特許文献１】特開２００８−１２９７８７号公報
【特許文献２】特開２００２−１７００４８号公報
【発明の概要】
【発明が解決しようとする課題】
【０００５】
しかしながら、特許文献１では、単に振込先の事業者の広告を提供するだけであり、ユーザに対して、行動履歴（購入商品）と関係のない広告しか提供することができない。また、特許文献２では、ユーザの属性情報に適した広告を提供するだけであり、特許文献１と同様に行動履歴（購入商品）に応じた広告を提供することができない。
【０００６】
本発明は、このような問題に鑑みてなされたものであり、ターゲット性の高い広告を提供可能な広告提供装置、広告提供システム及び広告提供方法を提供することを目的とする。
【課題を解決するための手段】
【０００７】
本発明の第１の態様においては、振込操作を行う商品購入者に広告を提供する広告提供装置であって、商品を販売する一の事業者に対して一以上の口座番号を設定する口座設定部と、前記事業者の口座番号の夫々に対応付けて、所定の商品についての広告群であって、当該広告群に属する広告の夫々が商品購入者の属性情報に対応付けられた広告群、を記憶する広告記憶部と、商品購入者の属性情報を記憶する属性記憶部と、振込操作を行う商品購入者から、振込先の前記事業者の口座番号の指定を含む振込指示を受け付ける受付部と、前記受付部が受け付けた前記事業者の口座番号に基づいて、前記広告記憶部から前記広告群を抽出する第１抽出部と、前記第１抽出部が抽出した前記広告群から当該商品購入者の属性情報に対応付けられた広告を抽出する第２抽出部と、抽出した前記広告を前記商品購入者に対して提供する広告提供部と、を備える広告提供装置を提供する。
【０００８】
また、前記広告記憶部は、商品カテゴリ毎に対応付けられた広告群を、前記事業者の口座番号の夫々に対応付けて記憶することとしてもよい。
【０００９】
また、前記属性記憶部は、前記商品購入者の口座番号に対応付けて、当該商品購入者の属性情報を記憶し、前記受付部は、前記商品購入者から、振込先の前記事業者の口座番号とともに当該商品購入者の口座番号の指定を含む振込指示を受け付け、前記第２抽出部は、受け付けた前記商品購入者の口座番号に対応する属性情報に基づいて、前記広告群から広告を抽出することとしてもよい。
【００１０】
また、前記広告記憶部は、前記広告群に属する各広告に対応付けて価格帯情報を記憶し、前記受付部は、前記商品購入者から前記事業者への振込金額を受け付け、前記振込金額に対応する価格帯情報が対応付けられた広告を抽出する第３抽出部を更に備えることとしてもよい。
【００１１】
本発明の第２の態様においては、振込を行う商品購入者が用いるユーザ端末と当該ユーザ端末に対して広告を提供する広告提供装置とを備える広告提供システムであって、前記広告提供装置は、商品を販売する一の事業者に対して一以上の口座番号を設定する口座設定部と、前記事業者の口座番号の夫々に対応付けて、所定の商品についての広告群であって、当該広告群に属する広告の夫々が商品購入者の属性情報に対応付けられた広告群、を記憶する広告記憶部と、商品購入者の属性情報を記憶する属性記憶部と、振込操作を行う商品購入者から、振込先の前記事業者の口座番号の指定を含む振込指示を受け付ける受付部と、前記受付部が受け付けた前記事業者の口座番号に基づいて、前記広告記憶部から前記広告群を抽出する第１抽出部と、前記第１抽出部が抽出した前記広告群から当該商品購入者の属性情報に対応付けられた広告を抽出する第２抽出部と、抽出した前記広告を前記商品購入者に対して提供する広告提供部と、を備え、前記ユーザ端末は、前記広告提供部により提供された広告を表示部に対して表示する広告提供システムを提供する。
【００１２】
本発明の第３の態様においては、振込操作を行う商品購入者に広告を提供する広告提供方法であって、商品を販売する一の事業者に対して一以上の口座番号を設定するステップと、前記事業者の口座番号の夫々に対応付けて、所定の商品についての広告群であって、当該広告群に属する広告の夫々が商品購入者の属性情報に対応付けられた広告群、を記憶するステップと、商品購入者の属性情報を記憶するステップと、振込操作を行う商品購入者から、振込先の前記事業者の口座番号の指定を含む振込指示を受け付けるステップと、受け付けた前記事業者の口座番号に基づいて、前記ステップで記憶した広告群の中から当該口座番号に対応する広告群を抽出するステップと、前記第１抽出部が抽出した前記広告群から当該商品購入者の属性情報に対応付けられた広告を抽出するステップと、抽出した前記広告を前記商品購入者に対して提供するステップと、を含む広告提供方法を提供する。
【発明の効果】
【００１３】
本発明によれば、ターゲット性の高い広告を提供することができる。
【図面の簡単な説明】
【００１４】
【図１】広告提供システムの概要を示す図である。
【図２】広告提供装置の機能構成を示すブロック図である。
【図３Ａ】記憶部の広告記憶部を示す図である。
【図３Ｂ】記憶部の属性記憶部を示す図である。
【図４Ａ】広告群と属性情報との関係を示す図である。
【図４Ｂ】広告群と振込金額との関係を示す図である。
【図５】広告提供システムの処理の流れを示す動作フローである。
【図６】ユーザ端末に表示される表示画面を示す図である。
【発明を実施するための形態】
【００１５】
［広告提供システムＳの概要］
初めに、図１を参照して、本発明の広告提供システムＳの構成について説明する。図１は、広告提供システムＳのシステム構成の一例を示す図である。
図１に示すように、広告提供システムＳは、インターネット等の所定の通信回線を介して通信可能に接続された銀行側設備１とユーザ端末２とを含んで構成される。
【００１６】
銀行側設備１は、例えば、銀行で取り扱う銀行口座を管理する銀行内サーバ１Ａと、銀行サービスをインターネット上で行うネットバンキングを管理するネットバンキングサーバ１Ｂと、を含んで構成される。なお、銀行側設備１（銀行内サーバ１Ａ及びネットバンキングサーバ１Ｂ）が本発明の広告提供装置１に相当するため、以下では、銀行側設備１を広告提供装置１と呼ぶ。もちろん、銀行側設備１とは別に、本発明の広告提供装置１を設けることとしてもよい。
【００１７】
ユーザ端末２は、例えば、ＰＣ（パーソナルコンピュータ）、タブレットＰＣ、スマートフォン等のインターネットにアクセス可能な任意の端末装置である。ユーザ端末２のユーザは、事業者３から商品を購入すると、ネットバンキングを利用して購入した商品の代金を振り込む。そのため、ユーザ端末２のユーザは、本発明の商品購入者に相当する。なお、商品を購入したユーザの家族等が代金を振り込む場合等もあり、この場合には、当該家族等が商品購入者に相当する。
広告提供装置１は、ユーザ端末２のユーザによる振込操作に基づいて、当該ユーザに好適な広告、即ち当該ユーザをターゲットにした広告を提供する。
【００１８】
具体的には、商品を販売する事業者３は、銀行において販売した商品の代金の振込を受ける振込先の口座を一以上開設するとともに、事業者３が紹介することを望む商品（例えば、事業者３が取り扱う商品）についての広告群を広告提供装置１に提供する。この開設した口座の口座番号と提供された広告群とは、事業者３の指示のもとに夫々が対応付けられた上で、広告提供装置１において記憶される。
【００１９】
ユーザが事業者３から商品を購入すると、事業者３は、購入した商品に対応する振込先の口座番号をユーザに対して通知する。例えば、ユーザが商品Ａ（衣服）を購入した場合には、事業者３は衣服に関する広告群に対応付けられた口座番号Ａを通知し、ユーザが商品Ｂ（スポーツ用品）を購入した場合には、事業者３はスポーツ用品に関する広告群に対応付けられた口座番号Ｂを通知する。
【００２０】
ユーザがネットバンキングを利用して通知された口座番号に振込操作を行うと、広告提供装置１は、この口座番号に対応する広告群に含まれる広告から、振込操作を行うユーザの属性情報等で絞り込んだ一又は複数の広告を抽出し、ユーザに対して提供する。例えば、ユーザが男性の場合には、広告提供装置１は、広告群に含まれる広告のうち男性を対象にする一又は複数の広告を抽出し、ユーザに対して提供する。
【００２１】
これにより、広告提供システムＳでは、振込操作を行うユーザに好適な広告、即ち、ユーザが購入した商品（振込先の口座番号）とユーザの属性情報等とに基づく広告を、ネットバンキングを利用するユーザに対して提供することができる。
このとき、広告提供システムＳでは、ターゲット性の向上だけでなく、口座番号の枯渇防止、及びユーザの個人情報の保護を併せて実現する。以下、本発明の一実施形態について、説明する。
【００２２】
［広告提供装置１の構成］
図２は、広告提供装置１の機能構成の一例を示す図である。図２に示すように、広告提供装置１は、事業者３（事業者用端末）及びユーザ端末２からアクセス可能に構成される。
【００２３】
事業者３は、商品／サービスを販売する販売事業者であり、例えば、インターネット上で商品等を販売するショッピングサイトの運営者であってもよく、また、現実の店舗において商品等を販売する小売業者等であってもよい。なお、事業者３は、販売事業者だけでなく、当該販売事業者から広告を委託された広告業者であってもよい。事業者３は、広告提供装置１を介して口座の開設及び当該口座に対応付ける広告群の登録を行う。また、事業者３は、ユーザ端末２を用いるユーザとの間で、商品の売買を行う。
ユーザ端末２は、広告提供装置１（ネットバンキングサーバ１Ｂ）が提供するネットバンキングを利用して、購入した商品の代金を事業者３に対して振り込む。このとき、広告提供装置１では、振込先の口座番号やユーザの属性情報に基づいて、ユーザに適した広告を提供する。
【００２４】
また、広告提供装置１は、制御部１１と記憶部１２とを含んで構成される。
記憶部１２は、例えば、ＲＯＭ及びＲＡＭ等により構成され、広告提供装置１を機能させるための各種プログラム及び各種データを記憶する。また、記憶部１２は、図３Ａに示す情報を記憶する広告記憶部及び図３Ｂに示す情報を記憶する属性記憶部を備える。
【００２５】
ここで、図３Ａを参照して、記憶部１２を構成する広告記憶部の一例について説明する。
図３Ａに示すように、広告記憶部は、事業者３が開設した振込先の口座番号に対応付けて、所定の商品カテゴリについての広告群を記憶する。図３Ａに示す例では、口座番号「０００００００」には、事業者Ａの商品カテゴリ「衣料品」についての広告群Ａ１，Ａ２等（なお、以下では、広告群Ａ１，Ａ２等を総称して「広告群Ａ」と呼ぶことがある）が対応付けられている。
【００２６】
ここで、広告記憶部に記憶された広告群は、夫々が商品購入者の属性情報に対応付けられた一又は複数の広告群を含む。図４Ａに示すように、例えば、広告群Ａに含まれる広告群Ａ１は、事業者Ａの商品カテゴリ「衣料品」のうちの、属性情報「女性」の商品購入者を対象にした複数の広告を有する広告群である。同様に、広告群Ａ２は、事業者Ａの商品カテゴリ「衣料品」のうちの、属性情報「若年」の商品購入者を対象にした複数の広告を有する広告群である。
【００２７】
また、広告記憶部に記憶された広告群は、夫々が価格帯情報（より詳細には、振込金額）に対応付けられた一又は複数の広告を含む。図４Ｂに示すように、例えば、広告群Ａ１は、低価格帯の女性用衣服を紹介する一又は複数の広告ａ１、及び高価格帯の女性用衣服を紹介する一又は複数の広告ａ２を含む。
【００２８】
続いて、図３Ｂを参照して、記憶部１２を構成する属性記憶部の一例について説明する。
属性記憶部は、口座を所有するユーザに対応付けて、当該ユーザの属性情報を記憶する。一例として、本実施形態では、属性記憶部は、図３Ｂに示すように、口座番号に対応付けてユーザの属性情報を記憶する。
【００２９】
図２に戻り、制御部１１は、例えば、ＣＰＵにより構成される。制御部１１は、記憶部１２に記憶されている各種プログラムを実行することにより、広告提供装置１を制御し、口座設定部１３、登録受付部１４、振込受付部１５、広告抽出部１６及び広告提供部１７として機能する。
広告提供装置１は、商品を購入したユーザに対して好適な広告を提供するところ、口座設定部１３及び登録受付部１４は、提供する広告を登録する前準備を行い、振込受付部１５乃至広告提供部１７は、登録した広告をユーザに対して提供する処理を行う。
【００３０】
口座設定部１３は、事業者３からの口座開設要求に応じて開設した口座に対応する口座番号を事業者３に対して設定する。ここで、本実施形態では、一例として一の事業者３が一以上の口座を開設するものとする。そこで、口座設定部１３は、一の事業者３に対して一以上の口座番号を設定する。
【００３１】
登録受付部１４は、口座を開設した又は口座を開設する事業者３から、当該事業者３の口座番号の夫々に対して設定する広告群を指示する登録指示を受け付ける。一例として、登録受付部１４は、口座番号「０００００００」に対して広告群Ａ（衣料品）を設定する登録指示や、口座番号「１１１１１１１」に対して広告群Ｂ（スポーツ用品）を設定する登録指示を、事業者３から受け付ける。
登録受付部１４が登録指示を受け付けると、開設した口座番号と広告群とが対応付けられて、記憶部１２の広告記憶部（図３Ａ）に記憶される。
【００３２】
振込受付部１５は、振込操作を行うユーザから、振込先の事業者３の口座番号、及び商品の購入に伴い事業者３に振り込む振込金額の指定を含む振込指示を受け付ける。
また、振込受付部１５は、振込操作を行うユーザの属性情報も併せて受け付ける。なお、属性情報は、任意の態様で受け付けることができる。例えば、振込操作とともに受け付けた振込元の口座番号（即ち、振込操作を行うユーザの口座番号）に基づいて、当該口座番号に紐づけられた属性情報を受け付けることができ、また、ネットバンキングの利用に先立ちログインを行うような場合には、ログイン認証に伴い、ログイン情報に紐づけられた属性情報を受け付けることができる。
【００３３】
広告抽出部１６は、受け付けた振込指示に基づいて、振込操作を行ったユーザに対して提供する一又は複数の広告を抽出する。ここで、広告抽出部１６は、ユーザに適したターゲット性の高い広告を抽出するため、第１抽出部１６１、第２抽出部１６２及び第３抽出部１６３を含んで構成される。
【００３４】
第１抽出部１６１は、振込受付部１５が受け付けた事業者３の口座番号（即ち、振込先の口座番号）に基づいて、記憶部１２の広告記憶部から当該口座番号に対応付けられた広告群を抽出する。
図３Ａに示す広告記憶部を参照して、例えば、ユーザから振込先の口座番号として口座番号「０００００００」を受け付けた場合、第１抽出部１６１は、広告記憶部から広告群Ａを抽出し、口座番号「７７７７７７７」を受け付けた場合、第１抽出部１６１は、広告記憶部から広告群Ｙを抽出する。図３Ａの備考欄に示すように、広告群Ａは、事業者Ａの衣料品を紹介する広告により構成され、広告群Ｙは、事業者Ｂのスポーツ用品を紹介する広告により構成される。
【００３５】
これにより、ユーザに提供する広告の大分類、即ち、購入商品のカテゴリが特定され、大まかなターゲティングがなされた広告群が抽出されることになる。
【００３６】
図２に戻り、第２抽出部１６２は、振込受付部１５が受け付けたユーザの属性情報に基づいて、第１抽出部１６１が抽出した広告群から当該属性情報に対応付けられた広告群を抽出する。既に上述したように、振込先の口座番号に対応付けられた広告群は、商品購入者の属性情報にも対応付けられている。即ち、図４Ａに示すように、事業者Ａの「衣服」についての広告群Ａは、属性情報「女性」の商品購入者を対象にした「女性用衣服」についての複数の広告を有する広告群Ａ１に加え、属性情報「若年」の商品購入者を対象にした「若年用衣服」についての複数の広告を有する広告群Ａ２等を含む。
【００３７】
第２抽出部１６２は、第１抽出部１６１が抽出した広告群を、ユーザの属性情報に基づいて絞り込む。これにより、ユーザに提供する広告の中分類、即ち、事業者３がターゲットとするユーザ層が特定され、一定度のターゲティングがなされた広告群が抽出されることになる。
【００３８】
図２に戻り、第３抽出部１６３は、振込受付部１５が受け付けた振込金額に対応する価格帯情報に基づいて、第２抽出部１６２が抽出した広告群から、振込金額（即ち、購入金額）に応じた広告を抽出する。上述したように、広告群には、商品購入者が購入した商品の購入金額の価格帯情報も対応付けられている。即ち、図４Ｂに示すように、事業者Ａの「女性用衣服」についての広告群Ａ１は、「低価格帯の女性用衣服」についての一又は複数の広告ａ１に加え、「高価格帯の女性用衣服」についての一又は複数の広告ａ２等を含む。
【００３９】
第３抽出部１６３は、第２抽出部１６２が抽出した広告群を、振込金額に基づいて更に絞り込む。これにより、ユーザに提供する広告の小分類、即ち、広告で紹介する商品の価格帯が特定され、更に詳細なターゲティングがなされた広告が抽出されることになる。
【００４０】
広告提供部１７は、広告抽出部１６が抽出した広告を、振込操作を行ったユーザ端末２に対して提供する。広告提供部１７から広告が提供されると、ユーザ端末２の表示部に当該広告が表示される。
【００４１】
［広告提供システムＳの動作］
以上、広告提供システムＳの構成について説明した。続いて、図５を参照して、広告提供システムＳの動作について説明する。図５は、広告提供システムＳの処理の流れを示す動作フローである。
【００４２】
初めに、事業者３の夫々は、銀行の窓口等で口座開設を申し込むとともに、事業者３に関連する複数の広告を提供する。これを受け、ステップＳ１において、広告提供装置１の口座設定部１３は、当該銀行で取り扱う銀行口座を一以上開設するとともに、ステップＳ２において、広告提供装置１の登録受付部１４は、開設した一以上の口座番号に対して、提供された広告群を関連付けて、広告記憶部に登録する。
図５に示す例の場合、事業者Ａは、口座番号「０００００００」「１１１１１１１」等の銀行口座を開設しており、口座番号「０００００００」に対して衣料品に関する広告群Ａ１，Ａ２・・・を設定し、口座番号「１１１１１１１」に対してスポーツ用品に関する広告群Ｂ１，Ｂ２・・・を設定している。
【００４３】
続いて、事業者３とユーザとの間で商品等の売買が行われると、ステップＳ３において、事業者３からユーザに対して、振込先の口座番号が通知される。なお、振込先の口座番号は、事業者がユーザに対して任意に通知するものであり、例えば、事業者Ａから衣料品を購入したユーザに対しては、口座番号「０００００００」が通知され、事業者Ａからスポーツ用品を購入したユーザに対しては、口座番号「１１１１１１１」が通知される。
【００４４】
振込先が通知されると、続いて、ステップＳ４において、ユーザは、ユーザ端末２を介して、事業者３から通知された口座に対する振込操作を行う。広告提供装置１では、振込受付部１５がユーザからの振込操作を受け付けると、ステップＳ５において、振込内容に応じて、事業者３に対して指示された金額を振り込む。具体的には、広告提供装置１を構成するネットバンキングサーバ１Ｂから、銀行内サーバ１Ａに対して、振込先の口座番号（事業者）、振込金額、及び振込を行うユーザに関する情報（例えば、振込元の口座番号）が通知され、銀行内サーバ１Ａにおいて所定の振込処理が行われる。
【００４５】
続いて、ステップＳ６において、広告提供装置１の第１抽出部１６１は、振込先（事業者３）の口座番号に基づいて、当該口座番号に対応付けられた広告群を抽出する。図５に示す例では、振込先の口座番号として「７７７７７７７」を受け付けていたことから、第１抽出部１６１は、事業者Ｂのスポーツ用品についての広告群Ｙを抽出している。
【００４６】
続いて、ステップＳ７において、広告提供装置１の第２抽出部１６２及び第３抽出部１６３は、振込操作を行ったユーザの属性情報等に基づいて、ステップＳ６で抽出した広告群を絞り込む。
具体的には、第２抽出部１６２は、ログイン情報又は当該ログイン情報に対応するユーザ自身の口座番号に紐づけられた、振込操作を行うユーザの属性情報に基づいて、広告のターゲットとするユーザ層（性別、年齢、住所、趣味等）を特定し、広告の絞り込みを行う。また、第３抽出部１６３は、振込金額に基づいて、広告で紹介する商品の価格帯を特定し、広告の更なる絞り込みを行う。
【００４７】
このようにして広告の絞り込みが行われると、ステップＳ８において、広告提供装置１の広告提供部１７は、抽出した広告をユーザ端末２に対して提供する。ここで、提供された広告の表示例を、図６に示す。図６の表示画面２００は、振込処理が完了した後にユーザ端末２に表示される表示画面の一例であり、表示画面２１０は、ログイン後のネットバンキングにおける任意のサービス画面の一例を示す図である。
【００４８】
広告提供部１７は、振込直後の表示画面２００だけでなく、表示画面２１０に示すように、ネットバンキングにおける任意のサービス利用時に提供される表示画面においても、ユーザに対して広告を提供する。
このとき、振込直後においては、広告提供部１７は、当該振込に伴い抽出された広告をユーザに対して提供する。即ち、表示画面２００には、振込先の口座番号に対応付けられた広告群から、ユーザの属性情報や振込金額に基づいて絞り込まれた広告が表示されている。
【００４９】
一方で、ユーザがネットバンキングにログインした後の任意のサービス画面においては、広告提供部１７は、ユーザの過去の振込履歴を元に、所定の広告を提供する。即ち、表示画面２１０には、過去にユーザが振込した際の、振込先の口座番号に対応付けられた広告群からユーザの属性情報や振込金額に基づいて絞り込まれた広告が表示されている。
【００５０】
なお、過去の振込履歴に基づいて広告を抽出／提供する際には、時間や振込先の口座番号等に基づいて任意の重み付けを行うこととしてもよい。具体的には、広告抽出部１６は、直近の振込履歴に対して過去の振込履歴よりも重み付けした上で、提供する広告を抽出することとしてもよく、また、振込先として指示された回数が多い口座番号に対して当該回数が少ない口座番号よりも重み付けした上で、提供する広告を抽出することとしてもよい。また、広告抽出部１６は、時間及び振込先として指示された回数の双方を組み合わせて重み付けした上で、提供する広告を抽出することとしてもよい。
このとき、広告提供装置１（銀行側設備１）では、事業者３と口座番号との関係を把握可能であるため、振込先として指示された回数については、口座番号毎にカウントすることとしてもよく、また、事業者毎にカウントすることとしてもよい。
【００５１】
［広告提供装置１における効果］
以上、本発明の広告提供装置１の一実施形態について説明した。本発明の広告提供装置１によれば、以下の効果を奏する。
【００５２】
本発明の広告提供装置１では、事業者３から夫々が所定の商品についての広告群に対応付けられた一以上の口座の開設を受け付けておき、ユーザが購入した商品の購入代金の振込を指示すると、振込先の口座番号に基づいて対応付けられた広告群を抽出する。これにより、広告提供装置１では、ユーザの行動履歴（購入商品）に合った広告を提供することができる。
【００５３】
このとき、広告提供装置１では、抽出した広告群をそのまま提供するのではなく、振込を行うユーザの属性情報や振込金額に基づいて更に絞り込みを行った上で、広告の提供を行う。これにより、よりターゲット性の高い広告を提供することができる。
例えば、ユーザの属性情報に基づいて絞り込むことで、男性に対しては男性用の商品、高齢のユーザに対しては高齢者用の商品を紹介するといった広告の提供が可能になる。また、振込金額に基づいて絞り込むことで、例えば、振込金額が低額のユーザに対してはシリーズ物の書籍のうちの１冊を紹介し、振込金額が高額のユーザに対してはシリーズ物の書籍を１セット紹介するといった広告の提供が可能になる。
【００５４】
なお、振込先の口座番号に基づいてターゲット性を向上させるためには、口座を無数に開設し、夫々の口座に対して広告を細かく設定する対応も考えられる。具体的には、本実施形態では図３Ａに示すように、事業者Ａの衣料品に対して一つの口座番号を設定しているところ、事業者Ａの男性用衣服に対して一つの口座番号、事業者Ａの女性用衣服に対して一つの口座番号、事業者Ａの若年用衣服に対して一つの口座番号等のように口座を開設することで、振込先の口座番号のみだけで、ターゲット性の向上を図ることができる。しかしながら、このような方法では、口座番号がいくらあっても足りず、口座番号が枯渇してしまう。
【００５５】
この点、本発明の広告提供装置１では、振込先の口座番号に基づく絞り込みのレベルに自由度を持たせ、例えば、口座番号からは大まかな絞り込みを行うこととすることで、事業者３が、自身が取り扱う商品に対応して細かく口座を開設する必要性がなくなる。これにより、本発明の広告提供装置１では、広告のターゲット性を高めつつ、併せて、口座番号の枯渇を防止するといった効果も期待できる。また、事業者３にとってみても、口座の数を抑えたまま自身が取り扱う膨大な商品についての広告を提供することができるため、口座管理を容易に行うことができ、好適である。
【００５６】
また、近年では、個人情報に対する意識が高まっており、あるサービス内でのユーザの行動履歴を他のサービスにおいて利用することは、ユーザの不信感を増大させるだけでなく、個人情報保護の観点からも好ましくない。本発明の広告提供装置１では、ネットバンキング内での広告の提供を実現するところ、商品等の購入は、通常、ネットバンキング外で行われるため、個人情報に配慮して行動履歴（購入商品）を把握する必要がある。
【００５７】
この点、本発明の広告提供装置１では、振込先の口座番号及び振込金額という振込操作に応じてユーザから指示される情報と、当該ユーザに紐づけられた属性情報と、を用いて広告を絞り込む。即ち、本発明の広告提供装置１では、自身が提供するサービス以外のサービスにおけるユーザの行動履歴に対して一切関与することなく、自身が提供するサービス内のユーザの行動履歴のみから広告を絞り込む。
これにより、自身のサービス外で行われた商品購入という行動履歴を、自身のサービス内におけるユーザの行動から把握することができ、ユーザの個人情報を保護しつつ、ターゲット性の高い広告を提供することができる。
【００５８】
以上のように本発明の広告提供装置１では、口座番号の枯渇防止、及びユーザの個人情報保護を実現しつつ、ターゲット性の高い広告を提供することができる。
【００５９】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【００６０】
上記実施形態では、ユーザは、ネットバンキングを利用して商品の購入代金を振り込むこととしているが、購入代金の振込はネットバンキングに限られるものではなく、例えば、ＡＴＭを利用して振り込むこととしてもよい。この場合、広告提供装置１は、ＡＴＭの表示画面に上述した手法で絞り込んだ広告を表示することで、ユーザに対してターゲット性の高い広告を提供する。
【符号の説明】
【００６１】
１・・・広告提供装置、１１・・・制御部、１２・・・記憶部、１３・・・口座設定部、１４・・・登録受付部、１５・・・振込受付部、１６・・・広告抽出部、１６１・・・第１抽出部、１６２・・・第２抽出部、１６３・・・第３抽出部、１７・・・広告提供部、２・・・ユーザ端末、３・・・事業者、Ｓ・・・広告提供システム
【図１】
2016110270.tif 000003
【図２】
2016110270.tif 000004
【図３Ａ】
2016110270.tif 000005
【図３Ｂ】
2016110270.tif 000006
【図４Ａ】
2016110270.tif 000007
【図４Ｂ】
2016110270.tif 000008
【図５】
2016110270.tif 000009
【図６】
2016110270.tif 000010